(57)【要約】【課題】  抜型の交換を容易にした平盤打抜機を提供する。【解決手段】  この平盤打抜機１においては、抜型１０を型枠１１に押し付ける方向にクロスバー１３が水平方向に押されると、クロスバー１３の両端に取り付けられたピニオン部１４がラック部１５に噛合しながらピニオン部１４は回転し、クロスバー１３は、ラック部１５に案内されながら直線的に移動する。このとき、ロック部１７の逆転防止爪１６が、ピニオン部１４の歯間１４ａに入り込み、ラック部１５は、一方向にしか回転することができない。これによって、クロスバー１３を前進させるだけで、抜型１０を型枠１１に強く押し付けることができる。このことは、抜型１０の大小に拘わらず、抜型１０を極めて容易に交換することができ、交換作業性を良好にする。【選択図】  図２
2005313298.tif 000002
【特許請求の範囲】
【請求項１】
固定盤と、前記固定盤に対して上下動する可動盤と、シートを前記可動盤と前記固定盤との打抜位置に間欠的に移送するシート移送装置とを備えた平盤打抜機であって、
前記固定盤の下部に設けられると共に、着脱自在な抜型が装着される型枠と、
前記型枠に対して前記抜型を水平方向に押し付ける抜型ロック機構とを含み、
前記抜型ロック機構は、
前記抜型を前記型枠に押し付ける方向に対して直交する方向で且つ水平に延在するクロスバーと、
前記クロスバーの両端に回転自在に取り付けられたピニオン部と、
前記型枠に固定されると共に、前記抜型の押し付け方向に沿って水平に延在して、前記ピニオン部に噛合するラック部と、
前記ピニオン部の歯間に引っ掛けられる逆転防止爪を有するロック部とを備えたことを特徴とする平盤打抜機。
【請求項２】
前記ロック部は、
前記クロスバーに軸支されると共に、前記ピニオン部に向けて突出する前記逆転防止爪を有する作動レバーと、
前記作動レバーを前記ピニオン部に向けて付勢するバネとを有することを特徴とする請求項１記載の平盤打抜機。
【発明の詳細な説明】
【技術分野】
【０００１】
本発明は、固定盤と、固定盤に対して上下動する可動盤と、シートを可動盤と固定盤との打抜位置に間欠的に移送するシート移送装置とを備えた平盤打抜機に関するものである。
【背景技術】
【０００２】
従来、このような分野の技術として、特開平５−３０１１９９号公報がある。この公報に記載された平盤打抜機は、可動盤をトグル継手によって可動させながら、固定盤と可動盤との間に配置された台紙（シート）から所望形状の型紙が打ち抜かられる。所望形状の型紙を得るために、固定盤には、抜き形状に合った切刃を有する抜型がネジによって固定されている。この抜型は、様々な抜き形状に対応させるために、固定盤に対して着脱自在である。
【０００３】
【特許文献１】特開平５−３０１１９９号公報
【特許文献２】特開昭５４−１４０８６号公報
【発明の開示】
【発明が解決しようとする課題】
【０００４】
しかしながら、切刃を有する抜型は、必要に応じて交換しなければならないが、ネジにより固定盤に対し着脱自在になっているので、抜型を交換する際の作業性が悪いものになっていた。
【０００５】
本発明は、特に、抜型の交換を容易にした平盤打抜機を提供することを目的とする。
【課題を解決するための手段】
【０００６】
本発明に係る平盤打抜機は、固定盤の下部に設けられると共に、着脱自在な抜型が装着される型枠と、型枠に対して抜型を水平方向に押し付ける抜型ロック機構とを含み、抜型ロック機構は、抜型を型枠に押し付ける方向に対して直交する方向で且つ水平に延在するクロスバーと、クロスバーの両端に回転自在に取り付けられたピニオン部と、型枠に固定されると共に、抜型の押し付け方向に沿って水平に延在して、ピニオン部に噛合するラック部と、ピニオン部の歯間に引っ掛けられる逆転防止爪を有するロック部とを備えたことを特徴とする。
【０００７】
この平盤打抜機においては、抜型を型枠に押し付ける方向にクロスバーが水平方向に押されると、クロスバーの両端に取り付けられたピニオン部がラック部に噛合しながらピニオン部は回転し、クロスバーは、ラック部に案内されながら直線的に移動する。このとき、ロック部の逆転防止爪が、ピニオン部の歯間に入り込み、ラック部は、一方向にしか回転することができない。これによって、クロスバーは、抜型を型枠に押し付ける方向に前進するが、ピニオン部は逆転しないので、クロスバーの後退が逆転防止爪によって抑制される。このような構成により、クロスバーを前進させるだけで、抜型を型枠に強く押し付けることができる。このことは、抜型の大小に拘わらず、抜型を極めて容易に交換することができ、交換作業性を良好にする。
【０００８】
また、ロック部は、クロスバーに軸支されると共に、ピニオン部に向けて突出する逆転防止爪を有する作動レバーと、作動レバーをピニオン部に向けて付勢するバネとを有すると好適である。作動レバーの逆転防止爪は、バネの付勢力によって常にピニオン部に押し付けられているので、抜型の装着時においては、自動的にピニオン部の逆転が防止される。これに対し、抜型を交換する時、作動レバーをピニオン部から離間させる方向に回動させると、ピニオン部の歯間から逆転防止爪が外れ、ピニオン部はフリーなロック解除状態になり、クロスバーの後退が可能になる。そして、作業者がクロスバーを後退させることで、抜型を型枠から容易に取り外すことができる。
【発明の効果】
【０００９】
本発明によれば、抜型の交換が容易になる。
【発明を実施するための最良の形態】
【００１０】
以下、図面を参照しつつ本発明に係る平盤打抜機の好適な実施形態について詳細に説明する。
【００１１】
図１に示すように、平盤打抜機１は、上方に配置された固定盤２と、この固定盤２に対して上下方向に駆動する可動盤３と、紙やプラスチックからなる台紙（シート）Ｓを可動盤３と固定盤２との打抜位置に間欠的に移送するシート移送装置４とを備えている。さらに、下方に配置された可動盤３は、トグル機構５によって上下方向に駆動され、可動盤３は、固定盤２に対して開閉及び型締めが行われる。このとき、固定盤２と可動盤３との間に配置された台紙（シート）Ｓから所望形状の型紙が打ち抜かられる。
【００１２】
図２に示すように、所望形状の型紙を得るために、固定盤２の下側合わせ部には、様々な抜き形状に対応させるために、抜き形状に合った切刃を表面に有する厚さ２〜３ｃｍ程度の板状の抜型１０が着脱自在に取り付けられている。そして、着脱自在の抜型１０の裏面は、固定盤２の下部に取り付けられた矩形の型枠１１(いわゆる「チェース」)の水平面部１１ｂに押し当てられている。
【００１３】
さらに、この平盤打抜機１は、矩形の抜型１０の外周面１０ａの一辺Ｐを、矩形の型枠１１の内周面１１ａの一辺Ｒに対して水平方向に押し付けるための抜型ロック機構１２を備えている。この抜型ロック機構１２は、抜型１０を型枠１１に押し付ける方向（矢印Ａ方向）に対して直交する方向で且つ水平に延在するクロスバー１３を有し、このクロスバー１３は、型枠１１内で一辺Ｒに対して平行に延在する。また、クロスバー１３の両端には、ピニオン部１４，１４が回転自在に取り付けられている。そして、左右一対のピニオン部１４は、型枠１１の内周面１１ａに固定された左右一対のラック部１５に噛合する。このラック部１５は、抜型１０の押し付け方向（矢印Ａ方向）に沿って水平に延在する。
【００１４】
図３に示すように、抜型ロック機構１２は、ピニオン部１４の歯間１４ａに引っ掛けられる逆転防止爪１６を有するロック部１７を更に備えている。このロック部１７は、ピニオン部１４に近接した位置でクロスバー１３に設けられた支軸１８に回動自在に取り付けられた作動レバー２０と、作動レバー２０をピニオン部１４に向けて付勢する捩りコイルバネ２１とからなる。作動レバー２０には、ピニオン部１４に向けて突出する逆転防止爪１６が一体的に形成されている。また、捩りコイルバネ２１の一端は、クロスバー１３のバネ掛けピン２２に引っ掛けられ、捩りコイルバネ２１の他端は、作動レバー２０に引っ掛けられている。このようなバネ２１の付勢力によって、この逆転防止爪１６は、歯間１４ａ内に挿入された状態が維持され、作動レバー２０は、ピニオン部１４に押し付けられるような状態が維持される。
【００１５】
そこで、所望の抜型１０を型枠１１に装着するにあたって、抜型１０を型枠１１に押し付ける方向（矢印Ａ方向）に、作業者がクロスバー１３を手で水平方向に押すと、抜型１０は、型枠１１の水平面部１１ｂに沿って摺動する。このとき、クロスバー１３の両端に取り付けられたピニオン部１４がラック部１５に噛合しながらピニオン部１４は回転し、クロスバー１３は、ラック部１５に案内されながら直線的に移動する。
【００１６】
また、ロック部１７の逆転防止爪１６は、ピニオン部１４の歯間１４ａに入り込み、ラック部１５は、一方向（矢印Ｂ方向）にしか回転することができない。これによって、クロスバー１３は、抜型１０を型枠１１に押し付ける方向（矢印Ａ方向）に前進するが、ピニオン部１４が逆転しようとすると、逆転防止爪１６がピニオン部１４の歯間１４ａに食い込み、クロスバー１３の後退が逆転防止爪１６によって抑制される。そして、抜型１０を締付ける力が逆転防止爪１６の食い込みを強くし、ロック状態を確実なものとする。このような構成により、クロスバー１３を前進させるだけで、抜型１０の一辺Ｐを型枠１１の一辺Ｒに強く押し付けることができる。このことは、抜型１０の大小に拘わらず、抜型１０を極めて容易に迅速かつ確実に交換することができ、抜型１０の交換作業性が良好になる。
【００１７】
また、作動レバー２０の逆転防止爪１６は、バネ２１の付勢力によって常にピニオン部１４に押し付けられているので、抜型１０の装着時においては、自動的にピニオン部１４の逆転が防止されることになる（図３参照）。これに対し、抜型１０を交換する時、図４に示すように、作業者が、作動レバー２０をピニオン部１４から離間させる方向（矢印Ｃ方向）に回動させると、ピニオン部１４の歯間１４ａから逆転防止爪１６が外れ、ピニオン部１４はロック解除状態になり、クロスバー１３の後退が可能になる。そして、作業者がクロスバー１３を矢印Ｄ方向に後退させることで、抜型１０を型枠１１から容易に取り外すことができる。
【００１８】
なお、前述した型枠１１は、抜型１０の交換のために水平方向に引き出すことができると共に、引き出された状態で反転可能でもある。よって、抜型１０を型枠１１にセットするにあたって、固定盤２から型枠１１が水平に引き出される。そして、型枠１１を反転させて型枠１１の水平面部１１ｂを上に向けた状態で、抜型１０は型枠１１にセッティングされる。また、抜型１０のセット完了後、型枠１１を反転させて型枠１１の水平面部１１ｂを下に向けた状態で、型枠１１を押し込み、固定盤２に型枠１１がセットされる。
【図面の簡単な説明】
【００１９】
【図１】本発明に係る平盤打抜機の一実施形態を示す正面図である。
【図２】平盤打抜機に適用する固定盤側の型枠及び抜型ロック機構を示す平面図である。
【図３】ロック状態の抜型ロック機構を示す要部拡大図である。
【図４】ロック解除状態の抜型ロック機構を示す要部拡大図である。
【符号の説明】
【００２０】
１…平盤打抜機、２…固定盤、３…可動盤、４…シート移送装置、１０…抜型、１１…型枠、１２…抜型ロック機構、１３…クロスバー、１４…ピニオン部、１４ａ…ピニオン部の歯間、１５…ラック部、１６…逆転防止爪、１７…ロック部、２０…作動レバー、２１…捩りコイルバネ(バネ)、Ｓ…台紙（シート）。
【図１】
2005313298.tif 000003
【図２】
2005313298.tif 000004
【図３】
2005313298.tif 000005
【図４】
2005313298.tif 000006